(57)【要約】      （修正有）【課題】手足によりディスプレーの画面における各種の映像を直接に操縦でき、且つ反応性をより向上させる。【解決手段】ユーザの身体に取り付けられる身体操縦制御器１０を含み、身体操縦制御器に複数の検知装置２０が分散して設けてあり、検知装置は、伝送装置３０にてユーザの身体の動作の操縦信号をディスプレーユニット４０に伝送し、ディスプレーユニットは、各種の映像インタラクティブゲームを表示し、そしてキーボード操縦インターフェースとして使用され、身体操縦制御器の検知装置により、ユーザの身体の動作の操縦信号がディスプレーユニットに伝送されて、ディスプレーユニットにより、ユーザは、インタラクティブゲームと対話可能になり、且つ文字や数字を入力してソフトウエアを実行可能であることを特徴とするＩＴ製品用手足映像インタラクティブ装置。【選択図】図１
0003134427.tif 000002
【実用新案登録請求の範囲】
【請求項１】
ユーザの身体に取り付けられる身体操縦制御器（１０，５０）を含み、前記身体操縦制御器（１０，５０）に複数の検知装置（２０，６０）が分散して設けてあり、前記検知装置（２０，６０）は、伝送装置（３０，７０）にてユーザの身体の動作の操縦信号をディスプレーユニット（４０，８０）に伝送し、前記ディスプレーユニット（４０，８０）は、各種の映像インタラクティブゲームを表示し、そしてキーボード操縦インターフェースとして使用され、前記身体操縦制御器（１０，５０）の検知装置（２０，６０）により、ユーザの身体の動作の操縦信号が前記ディスプレーユニット（４０，８０）に伝送されて、前記ディスプレーユニット（４０，８０）により、ユーザは、インタラクティブゲームと対話可能になり、且つ文字や数字を入力してソフトウエアを実行可能であることを特徴とする、
ＩＴ製品用手足映像インタラクティブ装置。
【請求項２】
前記身体操縦制御器（１０）は、ユーザの手に取り付けられる手タイプ身体操縦制御器であることを特徴とする、請求項１に記載のＩＴ製品用手足映像インタラクティブ装置。
【請求項３】
前記身体操縦制御器（５０）は、ユーザの足に取り付けられる足タイプ身体操縦制御器であることを特徴とする、請求項１に記載のＩＴ製品用手足映像インタラクティブ装置。
【考案の詳細な説明】
【技術分野】
【０００１】
本考案は、ＩＴ製品用手足映像インタラクティブ装置に係り、特に、手足によりディスプレーの画面における各種映像を直接に操縦でき、反応性により優れたＩＴ製品用手足映像インタラクティブ装置に関するものである。
【背景技術】
【０００２】
目下、国民の生活レベル向上への追求はさらに強くなっており、生活レベルを判断する要素の一つは、生活中に多様なレジャー活動を楽しんでいるかにある。また、電子およびＩＴ技術の進展に伴って、各種類の電子製品がレジャー活動の重要な道具になっている。例えば、ＣＤプレーヤー、ＶＣＤ又はＤＶＤプレーヤー、電子式健康器やゲーム遊戯装置などである。
【０００３】
ゲーム遊戯装置は、インタラクティブ機能を有するので、ユーザに対して強い魅力を有し、且つ遊戯の過程において、ユーザは、自信を持ち、脳が鍛錬され、身体の反応が向上する効果を収める。
【０００４】
現在、各ゲーム遊戯装置のメーカは資金を持続に投入して、斬新なインタラクティブゲーム遊戯のソフトウエアとハードウエアとを開発している。インタラクティブゲーム遊戯産業は、汚染がなく、且つ高い付加価値を有する産業であるので、各国の政府が各種の奨励政策を利用してその国のゲーム遊戯メーカのゲーム遊戯に対する研究開発を奨励している。
【０００５】
インタラクティブゲーム遊戯において、音楽インタラクティブゲーム遊戯が注目を集めている。音楽インタラクティブゲーム遊戯の特徴は、ゲーム遊戯装置が画像および音楽を提供し、ユーザはこれらの画像および音楽に応じて相応の動作をして、ユーザの身体の反応の良さによりゲームの結果が異なる。インタラクティブゲーム遊戯を楽しむ過程中に、ユーザは、自信を持ち、脳が鍛錬され、身体の反応が向上する効果を収める。
【０００６】
インタラクティブゲーム遊戯が魅力あるかどうかの重点の一つは、インタラクティブ画面と、インタラクティブ装置との多様化である。例えば、入力装置とする感応ボードを有する踊りマシンは、足踏みパッドと、ディスプレーなどのインタラクティブ装置により、ゲームを楽しむことができ、又はキーボードと、ディスプレーなどのインタラクティブ装置により、ディスプレーにおける各種の映像と対話してゲームを楽しむことができる。
【０００７】
ユーザの要求が多くなっていくうちに、どのように斬新なアイディアを持つものを開発してユーザの要求を満たすかは、ゲーム遊戯装置のメーカの永久の課題である。
【０００８】
【特許文献１】特開２００６−８７８９６号公報
【考案の開示】
【考案が解決しようとする課題】
【０００９】
本考案の主な目的は、従来のように、ジョイスティック、足踏みパッドやキーボードなどを使用せず、ユーザの手や足の動作にて各種のＩＴ製品のディスプレー・ユニットにおける各種の映像を直接に操縦可能であり、例えばタイピング、ゲームやソフトウエアなどを操作できるＩＴ製品用手足映像インタラクティブ装置を提供することにある。
【課題を解決するための手段】
【００１０】
上記目的を達成するためになされた本願の考案は、ユーザの身体に取り付けられる身体操縦制御器を含み、前記身体操縦制御器に複数の検知装置が分散して設けてあり、前記検知装置は、伝送装置にてユーザの身体の動作の操縦信号をディスプレーユニットに伝送し、前記ディスプレーユニットは、各種の映像インタラクティブゲームを表示し、そしてキーボード操縦インターフェースとして使用され、前記身体操縦制御器の検知装置により、ユーザの身体の動作の操縦信号が前記ディスプレーユニットに伝送されて、前記ディスプレーユニットにより、ユーザは、インタラクティブゲームと対話可能になり、且つ文字や数字を入力してソフトウエアを実行可能であることを特徴とするＩＴ製品用手足映像インタラクティブ装置であることを要旨としている。
【００１１】
本願の考案では、前記身体操縦制御器は、ユーザの手に取り付けられる手タイプ身体操縦制御器であることを特徴とする請求項１に記載のＩＴ製品用手足映像インタラクティブ装置であることを要旨としている。
【００１２】
本願の考案では、前記身体操縦制御器は、ユーザの足に取り付けられる足タイプ身体操縦制御器であることを特徴とする請求項１に記載のＩＴ製品用手足映像インタラクティブ装置であることを要旨としている。
【考案の効果】
【００１３】
本考案のＩＴ製品用手足映像インタラクティブ装置によれば、手足によりディスプレーの画面における各種の映像を直接に操縦でき、且つ反応性により優れているという効果がある。
【考案を実施するための最良の形態】
【００１４】
以下、添付図面を参照して本考案の好適な実施の形態を詳細に説明する。
【００１５】
まず、図１を参照して説明する。図１は、本考案の実施例１の概略図であり、ユーザの手に取り付けられる手タイプ身体操縦制御器の実施例である。
【００１６】
本実施例は、ユーザの手に取り付けられる身体操縦制御器１０を含み、前記身体操縦制御器１０に複数の検知装置２０が分散して設けてあり、前記検知装置２０は、コードレスやコードありの伝送装置３０にてユーザの手の動作の操縦信号をディスプレーユニット４０に伝送する。
【００１７】
前記ディスプレーユニット４０は、各種類の映像インタラクティブゲームを表示し、そしてキーボード操作インターフェースとして使用され、本実施例の実際の操作方法は、身体操縦制御器１０にユーザの手を入れて、前記身体操縦制御器１０にある検知装置２０により、ユーザの手の各関節の動作の信号（例えば指の縦方向や横方向への湾曲および掌の縦方向や横方向へ移動）が前記伝送装置３０を介して前記ディスプレーユニット４０に伝送される。
【００１８】
これにより、ユーザは、身体操縦制御器１０を自分の手として、身体操縦制御器１０の複数の検知装置２０により、ディスプレーユニット４０にある画面と対話することができ、又はディスプレーユニット４０にあるキーボード操作インターフェースを操縦して、文字や数字などを入力してゲームを実行することができる。
【００１９】
また、図２を参照して説明する。図２は、本考案の実施例２の概略図であり、ユーザの足に取り付けられる足タイプ身体操縦制御器の実施例である。本実施例は、ユーザの足に取り付けられる身体操縦制御器５０を含み、前記身体操縦制御器５０に複数の検知装置６０が分散して設けてあり、前記検知装置６０は、コードレスやコードありの伝送装置７０にてユーザの足の動作の操縦信号をディスプレーユニット８０に伝送する。
【００２０】
前記ディスプレーユニット８０は、各種の映像インタラクティブゲームを表示するものであり、本実施例の実際の操作方法は、身体操縦制御器５０にユーザの足を入れて、前記身体操縦制御器５０にある検知装置６０により、ユーザの足の各関節の動作の信号（例えば足の指の縦方向や横方向への湾曲および足の掌の縦方向や横方向へ移動）が前記伝送装置７０を介して前記ディスプレーユニット８０に伝送される。これにより、ユーザは、身体操縦制御器５０を自分の足として、身体操縦制御器５０の複数の検知装置６０により、ディスプレーユニット４０にある画面と対話することができ、運動しながらゲームを楽しむことができる。
【００２１】
そのため、本考案のＩＴ製品用手足映像インタラクティブ装置によれば、身体操縦制御器１０（手タイプ）、又は身体操縦制御器５０（足タイプ）により、ディスプレーユニット４０，８０に表示している各種類の映像や操作インターフェースを直接に操縦することができ、ユーザは自分の手や足で直接に操縦するのと同じ感覚を有し、従来のような足踏みパッドやパソコン用キーボードを使用することが必要なくなり、操作効率が大幅に向上し、且つ反応性により優れている。
【００２２】
さらに強調したいのは、本考案は、ユーザが自分の手足でディスプレーユニット４０，８０に表示している各種の映像や操作インターフェースを直接に操縦することができ、そして身体操縦制御器１０、又は身体操縦制御器５０は、一つの手と一つの足の形態にしてもいいし、二つの手と二つの足の形態にしてもよく、且つその外観も限定されるものではなく、即ち、指や足の指だけに付ける形態にしてもよく、必ず掌や足の掌に付ける必要があるものではない。
【図面の簡単な説明】
【００２３】
【図１】本考案の実施例１の概略図である。
【図２】本考案の実施例２の概略図である。
【符号の説明】
【００２４】
１０      身体操縦制御器
２０      検知装置
３０      伝送装置
４０      ディスプレーユニット
５０      身体操縦制御器
６０      検知装置
７０      伝送装置
８０      ディスプレーユニット
【図１】
0003134427.tif 000003
【図２】
0003134427.tif 000004